(57)【要約】【課題】ボタンの拡大表示時に、一部分の欠落をなくすことで視認性と操作性の向上を図る。【解決手段】各種類を表す複数のボタンを有する表示画像を画像表示器９の表示画面上に表示して、ボタンの選択的指定を受け付け可能にした画像表示制御装置。表示画像の拡大を指示するキー群１０内の特定のキーと、拡大表示指示を受けて、表示画像内の所定位置を基準にして画像の拡大を行う拡大表示切替部１１２と、拡大表示時に表示画面に標準表示時の表示ボタン数より少ない所定数のボタンを表示するべく所定数のボタンの表示域のみ拡大した拡大ボタンの表示位置を設定する拡大時配置処理部１１３とを備え、ボタンに対する視認性と操作性の向上を図る。【選択図】      図２
2004185143.tif 000002
【特許請求の範囲】
【請求項１】
各種類を表す複数のボタンを有する表示画像を表示画面上に表示して、ボタンの選択的指定を受け付け可能にした画像表示制御装置であって、表示画像の拡大を指示する拡大表示指示手段と、前記拡大表示指示手段からの指示を受けて、前記表示画像内の所定位置を基準にして画像の拡大を行う拡大表示切替手段と、拡大表示時に前記表示画面に前記複数のボタンより少ない所定数のボタンを表示するべく前記所定数のボタンの表示域のみ拡大した拡大ボタンの表示位置を設定する拡大時配置処理手段とを備えたことを特徴とする画像表示制御装置。
【請求項２】
前記表示画面に重畳された透明パネルからなり、前記ボタンの選択的指定を受け付けるタッチセンサを備えることを特徴とする請求項１記載の画像表示制御装置。
【請求項３】
前記複数のボタンは、互いに所定の隙間を有してマトリクス状に配置されており、前記拡大時配置処理手段は、前記隙間の間隔を一定に保持することを特徴とする請求項１又は２記載の画像表示制御装置。
【請求項４】
前記拡大表示時に表示画像をシフトする画像シフト手段と、前記拡大表示時に選択されたボタンの回数を計測する頻度計測手段とを備え、前記拡大時配置処理手段は、前記頻度の高さに応じて前記所定位置を基準にしての拡大画像内に対応する前記所定数のボタンを設定することを特徴とする請求項１〜３のいずれかに記載の画像表示制御装置。
【請求項５】
個人識別情報の入力手段と、入力された個人情報からユーザを特定するユーザ認証手段とを備え、前記頻度計測手段はユーザ毎に前記回数を計測し、前記拡大時配置処理手段は、ユーザ毎の前記頻度の高さに応じて前記所定位置を基準にしての拡大画像内に対応する前記所定数のボタンを設定することを特徴とする請求項４記載の画像表示制御装置。
【請求項６】
本体部の適所に、請求項１〜５のいずれかに記載の画像表示制御装置によって画像形成に関する機能を指定するボタンが表示される操作部として備え、指定されたボタンに対応する機能を実行することで原稿の画像を記録紙に転写する画像形成装置。
【発明の詳細な説明】
【０００１】
【発明の属する技術分野】
本発明は、各種類を表す複数のボタンを有する表示画像を表示画面上に表示して、ボタンの選択的指定を受け付け可能にした画像表示制御装置、及びこの画像表示制御装置によって画像形成に関する機能指定用のボタンが表示される操作部として機能する複写機やファクシミリ等の画像形成装置に関する。
【０００２】
【従来の技術】
近年、複写機は、種々の画像形成モードが設定可能になってきており、これに伴ってモード（機能）の種類も増大している。多数のモードを選択的に指定可能にすると操作部のキー群の構成も複雑化、大型化することから、従来の機械的な操作キーの一部を液晶表示器の画面にボタンとして選択可能に表示するようになってきている。ところで、液晶表示器のサイズとして大型のものを採用するには限界があることから、モード設定用の多数のボタンを小サイズで画面上に展開配置しなければならず、そうすると、ユーザによっては各ボタンに表記されたモード内容を記した文字とか図形を認識しづらく、誤操作の一要因となっている。
【０００３】
特開平６−５９６４７号公報には、拡大指示を与えることで、操作指示用の表示部に表示された基準サイズの画面画像を拡大表示し、かつ拡大した結果見えなくなった領域の画像を、スクロール動作によって見えるようにした画像表示制御装置が記載されている。
【０００４】
【特許文献１】
特開平６−５９６４７号公報
【０００５】
【発明が解決しようとする課題】
従来の画像表示制御装置では、表示部に表示された基準サイズの画面画像を単純に拡大して表示するものであるため、画面画像の態様によっては、表示内容の一部が欠落したりして、内容が直ちに認識できないことも考えられる。
【０００６】
本発明は、上記に鑑みてなされたもので、拡大表示時に表示されるボタンが画面上で所定数、すなわちボタン全体が表示面に表示されて欠落することのない画像表示を行わせて、視認性と操作性の向上が図れる画像表示制御装置及び、該装置によって画像形成に関する機能指定用のボタンが表示される操作部として機能する複写機やファクシミリ等の画像形成装置を提供することを目的とする。
【０００７】
【課題を解決するための手段】
請求項１記載の発明は、各種類を表す複数のボタンを有する表示画像を表示画面上に表示して、ボタンの選択的指定を受け付け可能にした画像表示制御装置であって、表示画像の拡大を指示する拡大表示指示手段と、前記拡大表示指示手段からの指示を受けて、前記表示画像内の所定位置を基準にして画像の拡大を行う拡大表示切替手段と、拡大表示時に前記表示画面に前記複数のボタンより少ない所定数のボタンを表示するべく前記所定数のボタンの表示域のみ拡大した拡大ボタンの表示位置を設定する拡大時配置処理手段とを備えたことを特徴とするものである。
【０００８】
この構成によれば、拡大表示指示手段からの拡大表示の指示があると、ボタン（メニューの画像を含む）の画像が拡大して表示画面上に表示変更される。ボタンの拡大は、拡大時配置処理手段によって、拡大表示時に前記表示画面に標準（サイズの）表示時における前記複数のボタンより少ない所定数のボタンが表示されるようにボタンの表示域のみ拡大した拡大ボタンの表示位置が設定される。従って、ボタン間の隙間はボタンの拡大率に関係なく所定のサイズに設定される。これにより、ボタン（必要に応じてボタンの表示域内に表記された符号を含む）が表示画面内に適正に配置表示され、ボタンの表示域の一部が欠落することがなくなり、視認性及び操作性の向上が図れる。
【０００９】
請求項２記載の発明は、請求項１記載の画像表示制御装置において、前記表示画面に重畳された透明パネルからなり、前記ボタンの選択的指定を受け付けるタッチセンサを備えることを特徴とする。この構成によれば、表示画面を直接指等で押圧するので、ボタンが拡大表示されることで操作性が向上する。
【００１０】
請求項３記載の発明は、請求項１又は２記載の画像表示制御装置において、前記複数のボタンは、互いに所定の隙間を有してマトリクス状に配置されており、前記拡大時配置処理手段は、前記隙間の間隔を一定に保持することを特徴とする。この構成によれば、ボタン間の隙間が標準表示時の寸法と同一にされるので、拡大されたボタンを適正に表示画面内に納めることが可能となる。
【００１１】
請求項４記載の発明は、請求項１〜３のいずれかに記載の画像表示制御装置において、前記拡大表示時に表示画像をシフトする画像シフト手段と、前記拡大表示時に選択されたボタンの回数を計測する頻度計測手段とを備え、前記拡大時配置処理手段は、前記頻度の高さに応じて前記所定位置を基準にしての拡大画像内に対応する前記所定数のボタンを設定することを特徴とする。この構成によれば、拡大表示の結果、画面外となったボタンに対しては画像シフト手段により表示画面内にシフトして表示させることが可能となる。これにより、いずれのボタンも選択指定可能となり、ここでボタン毎に指定回数をカウント（蓄積）しておくようにすれば、拡大表示時に指定頻度の高いボタンを初期画面として表示することが可能となり、操作性の向上が図れる。
【００１２】
請求項５記載の発明は、請求項４記載の画像表示制御装置において、個人識別情報の入力手段と、入力された個人情報からユーザを特定するユーザ認証手段とを備え、前記頻度計測手段はユーザ毎に前記回数を計測し、前記拡大時配置処理手段は、ユーザ毎の前記頻度の高さに応じて前記所定位置を基準にしての拡大画像内に対応する前記所定数のボタンを設定することを特徴とする。この構成によれば、ユーザの指定履歴に応じて拡大画面内にボタンを表示できるので、ユーザ個々に合わせた拡大画面が提示しえる。
【００１３】
請求項６記載の発明は、本体部の適所に、請求項１〜５のいずれかに記載の画像表示制御装置によって画像形成に関する機能を指定するボタンが表示される操作部として備え、指定されたボタンに対応する機能を実行することで原稿の画像を記録紙に転写する画像形成装置である。上記構成によれば、ボタン指定を受けると、指定ボタンの有する機能に従って像形成が実行されて、誤操作のない、所望するコピー画像が得られる。
【００１４】
【発明の実施の形態】
図１は、本発明が適用される複写機の外観構成図である。図１において、複写機１は、内部に像形成部を備える本体部２、本体部２の上部に設けられた、光学ユニット部３、原稿搬送装置４及び用紙搬送部５を備えると共に、本体部の下部には所要枚数の記録紙を積層して収納する給紙カセット６、記録紙排出部７，操作パネル部８を備える。操作パネル部８には画像表示器９及びキー群１０を備える。
【００１５】
本体部２の内部には、図略の像形成部が設けられている。像形成部は、公知のもので、感光体ドラムを備えると共に、該感光体ドラムを中心にその周囲に、ドラム表面を所定電位に帯電させる帯電部、原稿画像を光変調してドラム面に照射して静電潜像を形成する露光部、静電潜像にトナーを付着させて画像を顕在化させる現像部、顕在化されたドラム上の画像を記録紙に転写する転写部を備え、更にその用紙搬送方向下流側には定着部を備える。光学ユニット部３は、天井側に原稿がセットされるコンタクトガラスと、その下方に設けられた光源光をコンタクトガラスに照射する長尺光源と、光源を図１の左右方向に移動させる駆動機構部と、原稿からの反射光を光学（レンズ）系を介して受光するラインセンサとしての撮像手段と、撮像画像を一時的に記憶する記憶部を備える。原稿搬送装置４は、原稿セット部４ａと、セットされた原稿をその上位のものから１枚ずつ順次コンタクトガラス上に搬送すると共に光学ユニット３で読み取られたら原稿を外部に搬出する搬送部を備える。用紙搬送部５は、給紙カセット６から送り出された記録紙を像形成部へ搬送し、原稿画像が転写された記録紙を定着部で定着した後、記録紙搬出部７ａ、７ｂの一方に排出させるものである。
【００１６】
光学ユニット部３の前面側には操作パネル部８が設けられている。画像表示器９は例えば所定サイズを有する本実施形態では液晶表示パネルで、コピーに関連する機能などを表す各種のボタンを選択可能に表示するものである。なお、画像表示器９の表面には透明パネルからなるタッチセンサ１６（図２参照）を備える。タッチセンサ１６は、例えば透明なゴム材と導電性フィラを配合してなるパネル状の加圧導電性ゴムであり、押圧位置に応じた（加圧位置に応じた）電気抵抗を生じ得る結果、導電性フィラ両端での電圧レベルが変化するもので、この両端の電圧レベルを検出することによってパネル面での押圧位置を検知するものである。かかる構造を行、行、列方向に構成しておくことで、押圧位置を検知できるようにしている。キー群１０は、スタートボタン、画像表示器９でボタンとして採用されていないキー、更には後述する拡大表示指示や拡大表示時の画面のスクロール指示を行うための押し込み式のキーからなる。
【００１７】
図２は、画像表示器９の表示制御に関連する部分のブロック図である。図２において、１１はＣＰＵを有するマイクロコンピュータ等で構成された制御部で、制御プログラムを格納するＲＯＭ１２，処理中のデータを一時的に保存するＲＡＭ１３を備える。
【００１８】
画像メモリ１４は画像表示器９に表示される各種ボタンの画像を記憶するものである。ボタンは画像形成に関連する各種のモード等の機能を表すもので、コピー倍率、コピー濃度、記録紙サイズ指定のための各ボタンの他、例えば、片面／両面原稿に対する片面／両面コピー（コピーモード）の指定用の各ボタンとか、カラーコピー対応の場合には、色変更指定用の各種色を示すためのボタンである。後者のコピーモード指定ボタンや色指定ボタンは機能上、同列に属する種別の異なる複数のボタンが表示されるようになっている。ＶＲＡＭ１５は画像表示器９に対応した画素アドレスを有するもので、制御部１１によって、画像メモリ１４から読み出されたボタン画像データはＶＲＡＭ１５に一旦展開される。ＶＲＡＭ１５に展開された画像データは、制御部１１によって画像表示器９に繰り返し読み出されて、いわゆる静止画像を生成する。
【００１９】
図３は、色指定ボタンの表示例を示すもので、標準時での表示状態を示す（ａ）においては、画像表示器９の表示画面に、「赤」、「青」、「黄」…「茜」のように所定数の、例えば９色分を表すボタンを所定形状で、本実施形態では長方形で、例えば上下左右（マトリクス状）のような、所定の配置関係を有して表示している。すなわち、各ボタンは上下方向、左右方向にそれぞれ所定の隙間を有して配置されている。
【００２０】
制御部１１は、本複写機の動作全般を制御する主制御部１１１、画像表示器９へのボタン表示を標準時の表示態様から拡大表示態様に切り替える拡大表示切替部１１２、拡大表示時におけるボタンの配置を再構築するための処理を行う拡大時配置処理部１１３、拡大表示時における表示画像のうち見えない領域への画像のシフトを、キー群１０によるシフト方向指示に応じてスクロール動作させる画像スクロール部１１４、及びタッチセンサ１６の押圧位置からいずれのボタンが指定されたかを判定する指定ボタン判定部１１５を備える。
【００２１】
主制御部１１１は、コピースタート指示から画像形成に関連する指定に対応して各部を動作させるべく、前記ＲＯＭ１２内の制御プログラムに従って対応する各部へ動作指示信号を出するものである。
【００２２】
拡大表示切替部１１２は、キー群１０内の特定のキー操作を受け付けて、標準時の表示態様から拡大表示態様に切り替える画像切替処理を実行するものである。また、前記特定のキーを再度、あるいは別の特定キーを操作することで拡大表示態様から標準表示態様に復帰するようにさせてもよいし、あるいはコピー動作が終了する毎に標準表示態様に自動復帰させる形態としてもよい。
【００２３】
拡大時配置処理部１１３は、予め既知の画像表示器９の画面サイズ情報、すなわち縦横方向の表示画素数、標準表示態様におけるボタンの表示サイズ、上下左右におけるボタン間の隙間寸法（画素数）、及び拡大表示時に表示する拡大されたボタンの表示個数とから、拡大ボタンの画像の一部が画面外へ欠落することのないように表示位置を予めＶＲＡＭ１５の座標として設定しておき、拡大指示を受けると、標準のボタン表示座標を拡大時の拡大ボタンの表示座標に切り替えてＶＲＡＭへの画像、すなわち拡大ボタンの展開を実行させるものである。本実施形態では、拡大ボタン間の隙間は標準表示時における隙間と、上下方向で同寸法に、左右方向で略半分程度に設定している。なお、隙間寸法の設定は、ボタンの拡大率に比例して広がる、図３（ｃ）に示す従来の表示態様とは異なり、少なくとも、ボタンの拡大率未満とすればよく、好ましくは同寸法乃至は略半分程度が好ましい。タッチセンサ１６のようなユーザの指で押圧操作するものでは、指先の形状を考慮すれば、左右の隙間は略半分程度としても、ボタン自体が拡大されているため、押圧操作性が低下することはない。
【００２４】
また、拡大時配置処理部１１３はボタンの表示域内に表示される機能の内容を表す符号、本実施形態では色を表す漢字（文字）も同率で拡大するようにしている。これにより、ユーザのボタン及びその内容の視認性の向上を図っている。
【００２５】
図３（ｂ）は、拡大表示時の画像表示器９の画面図の例である。図３（ｂ）に示すように、拡大表示時には、「赤」、「青」、「緑」、「橙」の４個の拡大ボタンが表示画面内に画面の縁部を多少残した状態で、一部の欠落もなく表示されている。一方、図３（ｃ）の画面全体の単純拡大では、ボタンサイズを所要のサイズに拡大すると、隙間も同率で拡大されてしまうため、結果的に拡大ボタンの一部が画面から外れてしまい、「緑」、「橙」の漢字が認識不可能な状態になっている。これに対し、図３（ｂ）では、ボタンを従来と同サイズに拡大しても、４個のボタンは全て画面内に収まっている。
【００２６】
画像スクロール部１１４は、特定の方向を指示するキーを操作することで、対応する方向に画面画像をスクロール（あるいは操作毎に所定量だけシフトする態様でもよい）させるもので、スクロール指示に応じて画像メモリ１４からＶＲＡＭ１５へのボタン画像の展開座標を順次ずらしつつ繰り返し読み出すようにする。
【００２７】
指定ボタン判定部１１５はタッチセンサ１６の押圧検知位置（座標）と画像表示器９の表示画面の画素すなわちＶＲＡＭ１５のアドレスとを、標準表示態様及び拡大表示態様においてそれぞれ予め関連付けておき、タッチセンサ１６からの検出座標データをＶＲＡＭ１５のアドレスに換算して、該当するアドレスを標準表示時でのボタンの表示域、あるいは拡大表示時での拡大ボタンの表示域のいずれが含む（属する）かで、指定ボタンを判定するものである。
【００２８】
図４は、表示中のボタンの指定動作を説明するフローチャートである。先ず、拡大表示の指示の有無が判断され（ステップＳ１）、指示がなければ、標準表示態様での、操作指定（ボタン指定）の受け付け処理が実行されて（ステップＳ３）、本フローを終了する。一方、拡大表示の指示があれば、拡大時配置処理が実行され（ステップＳ５）、拡大ボタンのＶＲＡＭ１５での展開アドレスが設定される。次いで、画像メモリ１４から読み出されたボタンの画像が拡大処理されてＶＲＡＭ１５に展開される（ステップＳ７）。そして、拡大表示態様での、操作指定（ボタン指定）の受け付け処理が実行されて（ステップＳ９）、本フローを終了する。
【００２９】
図５は、画像表示部９の表示制御に関連する部分の第２実施例を示すブロック図である。図５は図２に示すブロック図に頻度計測部１１６が付加されたもので、これに関連して拡大時配置処理部１１３の機能が一部変更される他は図２と同一である。
【００３０】
頻度計測部１１６は拡大表示時に、拡大ボタンが指定される毎に、ボタン毎にその指定回数をカウントするものである。拡大時配置処理部１１３は拡大表示時には、標準表示時のボタン配列を変更し、指定頻度の高いものから順に配置するようにするものである。本実施形態では、ボタンの配列は、標準表示時には、図３（ａ）に示すものであるが、直前の拡大表示時までの指定頻度を元に、指定頻度の高い順に、行を優先し、次いで列を優先する態様、具体的には４個を２行２列分で拡大表示する場合、１行１列目、１行２列目、２行１列目、２行２列目の順で配置するようにするものである。なお、表示ボタンの種類によっては、逆に列を行より優先する場合もある。このように、拡大表示時でのボタン配置を頻度に応じて変更することで、操作性を向上させることができる。
【００３１】
図６は、第２実施例における表示中のボタンの指定動作を説明するフローチャートである。なお、ステップＳ１５、Ｓ２１を除いて、図４のフローチャートと同一なので、説明は省略する。ステップＳ１５では、拡大指示があると、頻度計測部１１６から指定頻度情報を受信し、指定頻度の高いボタンから行、次いで列方向で拡大時配置処理が実行される。また、ステップＳ１９にて、拡大表示態様での、操作指定（ボタン指定）の受け付け処理が実行されると、ステップＳ２１で、いずれのボタンの指定が行われたかが判定され、ボタン毎に指定回数が直前のカウント値に加算される。
【００３２】
図７は、画像表示部９の表示制御に関連する部分の第３実施例を示すブロック図である。図７は図５に示すブロック図にユーザ認証部１１７が付加されたもので、これに関連して拡大時配置処理部１１３、頻度計測部１１６の機能の一部変更される他は図５と同一である。
【００３３】
ユーザ認証部１１７は、キー群１０のうちの例えばテンキーから入力される所定桁分のパスコード（パスワード）から、予め登録されているユーザとの認証を行うもので、これにより、複写機を使用するユーザを個々に特定するようにしている。頻度計測部１１６はユーザ認証部１１７からの認証結果に従って、すなわちユーザ毎にボタンの指定頻度を計測するものである。拡大時配置処理部１１３は、拡大表示時には、標準表示時のボタン配列を変更し、ユーザ毎に計測された指定頻度の高いものから順に配置するようにするものである。例えば、標準表示時のボタンの配列が図３（ａ）に示すものである場合に、ユーザＡでは、拡大表示時の拡大ボタンの配列が、ユーザＡの指定頻度が「赤」「青」「黄」「緑」の順であれば、１列目に「赤」と「青」のボタンが、２列目に「黄」と「緑」のボタンが表示され、一方、ユーザＢでは、拡大表示時の拡大ボタンの配列が、ユーザＢの指定頻度が「茜」「青」「緑」「黄」の順であれば、に従って、例えば１列目に「茜」と「青」のボタンが、２列目に「緑」と「黄」のボタンが表示されるようになる。このように、拡大表示時でのボタン配置を各ユーザの指定頻度に応じて変更することで、操作性を個別対応可能に向上させることができる。
【００３４】
図８は、表示中のボタンの指定動作を説明するフローチャートである。なお、ステップＳ３５、Ｓ３７、Ｓ４５を除いて、図６のフローチャートと同一なので、説明は省略する。ステップＳ３５では、拡大指示があると、ユーザ認証部１１７によるパスコードの入力の有無が判断される。パスコードの入力があると、ユーザ認証処理が行われる（ステップＳ３７）。次いで、ステップＳ３９〜Ｓ４３の処理が施されて、ステップＳ４５で、いずれのボタンの指定が行われたかが判定され、ボタン毎に指定回数が直前のカウント値に加算される。
【００３５】
なお、本発明は、以下の態様が採用可能である。
（１）ユーザ認証部１１７としてはパスワード入力方式に変えて、種々の方式が採用可能である。例えば、指紋を撮像し、予め登録しているユーザの指紋とパターン認識技術を活用して照合するようにしてもよく、あるいは眼球内の虹彩を同様にパターン認識技術で照合する方式でもよい。このようにすれば、汎用性が向上する。
（２）拡大指示、スクロール指示、認証パスワード等の入力部をキー群１０の特定キーを採用したが、これら全てあるいは一部のキーに付いては必要に応じて画像表示器９の所定箇所に標準サイズで固定的にボタン表示する態様としてもよい。キー群１０の構造の簡素化が図れる。
（３）本発明は、ボタンをタッチ指示する際の視認性と操作性を考慮して拡大表示するようにしているが、タッチ指示をせず、他のポインティングデバイスによって位置指定する態様でもよい。
（４）本実施形態では、標準表示時に対する拡大表示時の画面の拡大率を所定値に設定している態様であるが、これに限定されず、拡大指示を連続乃至は多段階式としてもよい。多段階式の場合、拡大時配置処理部１１３は拡大指示の１回目では第１の拡大率で表示し、２回目では第１の拡大率より大きな第２の拡大率で表示するように知ってもよい。例えば、ボタンがマトリクス状に５×５個表示されているとして、１回目の拡大指示で３×３個を表示し、２回目の拡大指示で２×２個を表示するようにしてもよい。これによれば、ユーザの視認能力に応じて所望する拡大サイズを選択できる。あるいはユーザ認証部１１７の認証技術を利用する等すれば、ユーザ毎に所望する拡大サイズが自動設定するようにさせてもよい。
（５）本実施形態では、表示例として、標準（サイズ）表示時に、４×４個のボタンをマトリクス表示し、拡大表示時に２×２個のボタンを表示するようにしたが、ボタンの個数はこれに限定されず、また、３×４個のボタンを２×３個で拡大表示するような行列方向で異なる個数を表示する態様でもよい。また、マトリクス表示の形態に限定されず、１列（１行）に多数表示する態様、円周上とか千鳥状に配置表示される態様にも同様に適用できる。
【００３６】
【発明の効果】
請求項１記載の発明によれば、表示画面上でのボタンに対する視認性及び操作性の向上が図れる。
【００３７】
請求項２記載の発明によれば、表示画面を直接指等で押圧するので、ボタンが拡大表示されることで操作性の向上が図れる。
【００３８】
請求項３記載の発明によれば、ボタン間の隙間が標準表示時の寸法と同一にされるので、拡大されたボタンを適正に表示画面内に納めることができる。
【００３９】
請求項４記載の発明によれば、拡大表示時に指定頻度の高いボタンを初期画面として表示することが可能となり、操作性の向上が図れる。
【００４０】
請求項５記載の発明によれば、ユーザの指定履歴に応じて拡大画面内にボタンを表示できるので、ユーザ個々に合わせた拡大画面が提示できる。
【００４１】
請求項６記載の発明によれば、ボタン指定を受けると、指定ボタンの有する機能に従って像形成が実行されるので、誤操作のない、所望するコピー画像を得ることができる。
【図面の簡単な説明】
【図１】本発明が適用される複写機の外観構成図である。
【図２】画像表示部の表示制御に関連する部分のブロック図である。
【図３】色指定ボタンの表示例を示すもので、（ａ）は標準時での表示状態を示す図、（ｂ）は拡大表示時での表示状態を示す図、（ｃ）は従来の拡大表示時の表示状態を示す図である。
【図４】表示中のボタンの指定動作を説明するフローチャートである。
【図５】画像表示部の表示制御に関連する部分の第２実施例を示すブロック図である。
【図６】第２実施例における表示中のボタンの指定動作を説明するフローチャートである。
【図７】画像表示部の表示制御に関連する部分の第３実施例を示すブロック図である。
【図８】第３実施例における表示中のボタンの指定動作を説明するフローチャートである。
【符号の説明】
１  複写機（画像形成装置）
９  画像表示器
１０  キー群
１４  画像メモリ
１５  ＶＲＡＭ
１６  タッチセンサ
１１  制御部
１１１  主制御部
１１２  拡大表示切替部
１１３  拡大時配置処理部
１１４  画像スクロール部
１１５  指定ボタン判定部
１１６  頻度計測部
１１７  ユーザ認証部
【図１】
2004185143.tif 000003
【図２】
2004185143.tif 000004
【図３】
2004185143.tif 000005
【図４】
2004185143.tif 000006
【図５】
2004185143.tif 000007
【図６】
2004185143.tif 000008
【図７】
2004185143.tif 000009
【図８】
2004185143.tif 000010